(57)【要約】      （修正有）【課題】ボード自体を折り畳むことができ、変形携行を可能とすると共に、折り畳んだ状態から通常の拡開されたボードとしても変形可能とする新規な折り畳み自在のクリップボードを提供する。【解決手段】長方形状のクリップを備えたボード本体１と、所望の間隔を置いて設けられる２以上の折り畳み線３と、前記折り畳み線３を横切って配設し、折り曲げを阻止できる棒杆と、前記棒杆の両端を着脱自在に係止できる掛止部４と、より成り、前記折り畳み線３に沿って折り畳み自在を特徴とする折り畳み自在のクリップボードである。【選択図】図１
0003148952.tif 000002
【実用新案登録請求の範囲】
【請求項１】
長方形状のクリップを備えたボード本体と、所望の間隔を置いて設けられる２以上の折り畳み線と、前記折り畳み線を横切って配設し、折り曲げを阻止できる棒杆と、前記棒杆の両端を着脱自在に係止できる掛止部と、より成り、前記折り畳み線に沿って折り畳み自在を特徴とする折り畳み自在のクリップボード。
【請求項２】
棒杆は、鉛筆などの筆記具として成ることを特徴とする請求項１記載の折り畳み自在のクリップボード。
【考案の詳細な説明】
【技術分野】
【０００１】
本考案は、携行が小型変形により至極便利で、使用時簡単に拡開して通常のボードとして使用できる折り畳み自在のクリップボードに関する。
【背景技術】
【０００２】
この種のクリップボードは、ボードの性質上、二以上に折り畳む構成のものは知られていない。
【０００３】
従来知られているものは、クリップボードを卓上など面に対して立て掛けるためにボードの背面に支板を設けたものが知られており、この支板をボードに対して折り畳む構成のものは知られている（例えば、特許文献1参照）。
【特許文献１】特開２００５−２３０５１３号公報
【考案の開示】
【考案が解決しようとする課題】
【０００４】
従来の特許文献１では、ボードを立て掛ける支板を折り畳むことが開示されているが、ボード自体を小型コンパクトに折り畳むものは知られていない。
【０００５】
本考案は叙上に着目して成されたもので、ボード自体を折り畳むことができ、変形携行を可能とすると共に、折り畳んだ状態から通常の拡開されたボードとしても変形可能とする新規な折り畳み自在のクリップボードを提供するものである。
【課題を解決するための手段】
【０００６】
本考案は、以下の構成により上記課題を解決できる。
【０００７】
（１）長方形状のクリップを備えたボード本体と、所望の間隔を置いて設けられる２以上の折り畳み線と、前記折り畳み線を横切って配設し、折り曲げを阻止できる棒杆と、前記棒杆の両端を着脱自在に係止できる掛止部と、より成り、前記折り畳み線に沿って折り畳み自在を特徴とする折り畳み自在のクリップボード。
【０００８】
（２）棒杆は、鉛筆などの筆記具として成ることを特徴とする前記（１）記載の折り畳み自在のクリップボード。
【考案の効果】
【０００９】
本考案によれば、不使用の場合は、全体を折り畳んで小型化でき、衣服のポケットや鞄内に、小型に収納できると共に、使用時は折り畳みを解き、拡開して通常の大きさに拡大してクリップボードとして使用できる。
【００１０】
折り畳み状態は２以上の折り畳み線を利用して３つ折り，４つ折りなど、ボード本体の大きさに応じて自由に決定でき、拡開時は棒杆を用いて環状の係止部を利用して直状に固定でき、通常のボードとして利用できる。
【００１１】
そして棒杆は、鉛筆などの筆記具を利用できるので、使用中のメモ書きなどに利用できる。
【考案を実施するための最良の形態】
【００１２】
以下に、本考案の一実施例を図面と共に説明する。
【実施例】
【００１３】
図面について、１は長方形のボード本体、２はこのボード本体１の上辺近くに設けたクリップ、３，３はボード本体１を３分割した２本の折り畳み線、４はボード本体１の裏面１Ａに於いて設けた多数の掛止部で、両端をボード本体１に固定し、伸縮性のゴム材料で挿し込み孔５を形成してある。
【００１４】
図示では、２本の折り畳み線３，３の上下両端に相対向して対称の２個づつ設けられる。６はそれぞれ相対向した一対の掛止部４の挿し込み孔５に挿通固定される棒杆で、この棒杆６により前記折り畳み線３，３を横切って３分割のボード本体１を拡開状態の平面状に保持固定させることができる。
【００１５】
つぎに、ボード本体１を３分割１ａ，１ｂ，１ｃする２本の折り畳み線３の構成を図４に基づいていくつかの例を説明する。
【００１６】
（ａ）はボード本体１の肉厚Ｗを裏面１Ａ側を深めに掘り、表面側１ｂを平面として残す凹処３ａ状態の折り畳み線３を示している。
【００１７】
また（ｂ）は、ボード本体１の肉厚Ｗに対し、裏面側１ａおよび表面側１ｂより対向箇所を凹設して、上下２箇所を凹処３ａ状態にした折り畳み線３を示している。
【００１８】
さらに（ｃ）は、ボード本体１の肉厚Ｗを表面１Ｂ側を比較的薄いＷ１の肉厚とし、裏面側１ａを比較的厚いＷ２の肉厚とし、不連続箇所の凹処３ｂを折り畳み線３とした場合を示している。
【００１９】
なお、さらに（ｄ）は、３分割１ａ，１ｂ，１ｃを単独の分割部材とし、各部材１ａ，１ｂ，１ｃを蝶番７で回動自在に接続して、隣り合う分割部材１ａ，１ｂ，１ｃの不連続箇所を折り畳み線３として形成する場合を示している。
【００２０】
以上、折り畳み線３の４例を示したが、本考案は２つ折りを始め４つ折りなど折り畳み線３の構成に限定されるものではない。
【００２１】
さらに、図５において折り畳み状態の２例を示す。
【００２２】
（ａ）は順次と各部材１ａ，１ｂ，１ｃを異なる方向、即ちＳ字方向に折り畳む場合を示しているのに対し、（ｂ）は分割部材１ａ，１ｂ，１ｃを中央の分割部材１ｂを中心として前後の分割部材１ａ，１ｃを、それぞれ中央の分割部材１ｂ側に折り畳む場合を示している。
【００２３】
叙上の構成に基づいて作用を説明する。
【００２４】
携行時は、図５に示す状態に折り畳み線３によって折り畳まれた小型状態にして携帯が可能である。
【００２５】
使用時は、折り畳み線３によって平面状に拡開し、鉛筆などの筆記具の棒杆６を用いて折り畳み線３近くに設けた掛止部４内に挿通し、折り畳み線３を横切って折り畳み線３での曲折を阻止できるので、平面状態を確保でき、通常のクリップボードとして使用に供することができる。
【００２６】
ボード本体１の表面側１ｂは、平面フラット状態を保持でき、裏面側１ａに棒杆６が臨まれるので、作業の邪魔にならず軽快に使用できる。
【００２７】
なお棒杆６は、鉛筆の他、物指しなど好みの文房具に利用できる。
【図面の簡単な説明】
【００２８】
【図１】（ａ）は本考案に係る折り畳み自在クリップボードの一実施例を示す正面図、（ｂ）は（ａ）の側面図
【図２】図１（ａ）の背面図
【図３】掛止部の拡大断面図
【図４】（ａ），（ｂ），（ｃ），（ｄ）  折り畳み線の４例を示す拡大側面図
【図５】（ａ），（ｂ）  ボード本体の折り畳み状態の２例を示す上面図
【符号の説明】
【００２９】
１    ボード本体
１Ａ  ボード本体１の裏面
１Ｂ  ボード本体１の表面
１ａ，１ｂ，１ｃ    分割部材
２    クリップ
３    折り畳み線
３ａ  凹処
３ｂ  凹処
４    掛止部
５    挿し込み孔
６    棒杆
７    蝶番
Ｗ    肉厚
Ｗ１  比較的薄い肉厚
Ｗ２  比較的厚い肉厚
【図１】
0003148952.tif 000003
【図２】
0003148952.tif 000004
【図３】
0003148952.tif 000005
【図４】
0003148952.tif 000006
【図５】
0003148952.tif 000007